(57)【要約】【課題】送風装置の本体ケース内部におけるイオン発生装置の配置構造を好適化して、放電電極とトランスとを繋ぐ接続リードによる風切り音の発生を解消する。【解決手段】本体ケース１の内部に、ファン７と、ファン駆動用のモーター８と、空気加熱用のヒーター９と、イオン発生装置とを設ける。イオン発生装置は、放電電流調整ユニット２４と放電ユニット２５とで構成し、これら両者をヒーターホルダー１８の中央部分に隣接配置する。放電ユニット２５は、容器状の電極ホルダー３２と、放電電極３３と、対向電極３４とを含む。放電電流調整ユニット２４と放電ユニット２５とを繋ぐ接続リード３６・３７を有する。接続リード３６・３７の外面は、電極ホルダー３２で覆って、接続リード３６・３７が空気流と接触するのを防止する。電極ホルダー３２は、前すぼまりテーパー状のカバー４０と電極支持体４１とを備えている。カバー４０で接続リード３６・３７の外面を覆う。【選択図】        図１
2005013649.tif 000002
【特許請求の範囲】
【請求項１】
本体ケース１の内部に、ファン７と、ファン駆動用のモーター８と、空気加熱用のヒーター９と、イオン発生装置とを設けてある送風装置であって、
イオン発生装置が、ヒーターホルダー１８の中央部分に配置される放電電流調整ユニット２４と、放電電流調整ユニット２４に隣接配置されて、吹出グリル１３と対向する放電ユニット２５とを含み、
放電ユニット２５は、後面が開口する容器状の電極ホルダー３２と、電極ホルダー３２に組み付けられる放電電極３３と、対向電極３４とを含み、
放電電流調整ユニット２４と放電ユニット２５とを繋ぐ接続リード３６・３７の外面が、電極ホルダー３２で覆われている送風装置。
【請求項２】
電極ホルダー３２が、前すぼまりテーパー状のカバー４０と、カバー４０の中央に設けられて放電電極３３および対向電極３４を支持する電極支持体４１とを備えており、
放電電流調整ユニット２４と放電ユニット２５とを繋ぐ接続リード３６・３７の外面が、カバー４０で覆われている請求項１記載の送風装置。
【請求項３】
電極ホルダー３２のカバー４０と電極支持体４１とが、一体に形成されている請求項２記載の送風装置。
【請求項４】
ヒーターホルダー１８が、モーター８の周面に外嵌する保持筒２１と、保持筒２１に差し込み固定される複数個の絶縁板２２とで構成されており、
放電電流調整ユニット２４の少なくとも一部が、保持筒２１で支持されている請求項１または２または３記載の送風装置。
【請求項５】
ヒーターホルダー１８に装着した放電電流調整ユニット２４および放電ユニット２５が、絶縁板２２と電極ホルダー３２との間に設けた係合構造で固定してある請求項４記載の送風装置。
【請求項６】
放電ユニット２５と対向する吹出グリル１３の中央部に、イオン放出口５３が設けられており、
吹出グリル１３と、グリップ３に設けたアース片５１とが、導電路５２を介して通電可能に接続してある請求項１記載の送風装置。
【発明の詳細な説明】
【０００１】
【発明の属する技術分野】
本発明は、ヘアードライヤーに代表される送風装置、なかでも本体ケースの内部にイオン発生装置が配置された送風装置に関する。
【０００２】
【従来の技術】
本体ケースの内部にイオン発生装置を配置したヘアードライヤーは、例えば本出願人の出願に係る特許文献１および特許文献２に公知である。そこでは、十文字状に組まれるヒーターホルダーの交差部分をくりぬいて、そこにイオン発生装置を構成する回路基板とトランスとを配置している。さらに、ヒーターホルダーの前縁と吹出グリルとの間に先すぼまりテーパー状のイオン通路を設けて、その内部に電極ユニットを配置することにより、電極ユニットで生成したマイナスイオンが吹き出し空気流に広く拡散し、あるいは中和消滅するのを避けている。
【０００３】
【特許文献１】
特開２００３−７０５２６号公報（段落番号００２４、図１）
【特許文献２】
特開２００３−７９４２１号公報（段落番号００２９、図１）
【０００４】
【発明が解決しようとする課題】
特許文献１および２のドライヤーによれば、先すぼまりテーパー状のイオン通路の内部に電極ユニットを配置するので、マイナスイオンの拡散、および中和消滅をよく防止できる。しかし、ヒーターホルダーの前端と吹出グリルとの間に電極ユニットを配置するため、電極ユニットとトランスとの間に前後隙間が生じるのを避けられず、両者を繋ぐ接続リードがイオン通路とトランスとの間の空間に露出する。問題は、筒状の本体ケースの内面に沿って送給される空気流の一部が、先の前後隙間を介してイオン通路へ流れ込むとき、接続リードと接触して耳障りな風切り音が発生する点にある。
【０００５】
イオン通路は先すぼまりテーパー状の筒体で区画してあり、その内部に電極ユニットを配置してある。そのため、電極ユニットで生成したマイナスイオンが吹き出し空気流に広く拡散することは規制できるものの、マイナスイオンと常時接触する筒体がマイナスに帯電しやすく、筒体に帯電したマイナス電荷とマイナスイオンとが反発しあう結果、マイナスイオンの送給量が減少する。
【０００６】
本発明の目的は、本体ケース内部におけるイオン発生装置の配置構造を好適化することによって、放電電極とトランスとを繋ぐ接続リードによる風切り音の発生を解消でき、従って使用時の騒音レベルを低下できる静粛な送風装置を提供することにある。本発明の目的は、マイナスイオンが吹き出し空気流に広く拡散するのを規制しながら、電極ユニットの周辺構造体がマイナスに帯電するのを抑止し、以て送風装置から送出されるマイナスイオンの量を向上できる送風装置を提供することにある。
【０００７】
【課題を解決するための手段】
本発明の送風装置では、本体ケース１の内部に、ファン７と、ファン駆動用のモーター８と、空気加熱用のヒーター９と、イオン発生装置とを設けてある。イオン発生装置は、ヒーターホルダー１８の中央部分に配置される放電電流調整ユニット２４と、放電電流調整ユニット２４に隣接配置されて、吹出グリル１３と対向する放電ユニット２５とを含む。放電ユニット２５は、後面が開口する容器状の電極ホルダー３２と、電極ホルダー３２に組み付けられる放電電極３３と、対向電極３４とを含む。そして、放電電流調整ユニット２４と放電ユニット２５とを繋ぐ接続リード３６・３７の外面が、電極ホルダー３２で覆われている（請求項１）。
【０００８】
電極ホルダー３２は、前すぼまりテーパー状のカバー４０と、カバー４０の中央に設けられて放電電極３３および対向電極３４を支持する電極支持体４１とを備えており、放電電流調整ユニット２４と放電ユニット２５とを繋ぐ接続リード３６・３７の外面が、カバー４０で覆われている（請求項２）。
【０００９】
電極ホルダー３２のカバー４０と電極支持体４１とは、一体に形成することができる（請求項３）。
【００１０】
ヒーターホルダー１８は、モーター８の周面に外嵌する保持筒２１と、保持筒２１に差し込み固定される複数個の絶縁板２２とで構成し、放電電流調整ユニット２４の少なくとも一部を保持筒２１で支持することができる（請求項４）。
【００１１】
ヒーターホルダー１８に装着した放電電流調整ユニット２４および放電ユニット２５は、絶縁板２２と電極ホルダー３２との間に設けた係合構造で固定することができる（請求項５）。
【００１２】
放電ユニット２５と対向する吹出グリル１３の中央部には、イオン放出口５３を設け、吹出グリル１３と、グリップ３に設けたアース片５１とが、導電路５２を介して通電可能に接続されている（請求項６）。
【００１３】
【発明の作用効果】
本発明に係る送風装置では、イオン発生装置を構成する放電電流調整ユニット２４および放電ユニット２５を、ヒーターホルダー１８の中央部分に隣接配置した。そのうえで、両ユニット２４・２５を繋ぐ接続リード３６・３７の外面を、放電ユニット２５の電極ホルダー３２で覆うことにより、接続リード３６・３７がファン７で送給される空気流に晒されるのを防止した。従って本発明によれば、放電電極とトランスとを繋ぐ接続リード３６・３７による風切り音の発生を解消でき、その分だけ使用時の騒音レベルが低下して静粛な送風装置が得られる。接続リード３６・３７の外面が電極ホルダー３２で覆われているので、接続リード３６・３７が外部から加熱されるのを防止できるうえ、空気流で運ばれた塵埃などが電極ホルダー３２内に侵入し堆積することもない（請求項１）。
【００１４】
前すぼまりテーパー状のカバー４０と、カバー４０の中央に設けた電極支持体４１とで構成した電極ホルダー３２によれば、放電電流調整ユニット２４の周面に沿って流れてきた空気流を、カバー４０で放電電極側へ向かって流動案内できるので、電極ホルダー３２の周辺に滞留するマイナスイオンを、流動案内した空気流で強制的に吹出口１２から送給して、電極ホルダー３２の周辺におけるイオン飽和を効果的に解消できる（請求項２）。
【００１５】
カバー４０と電極支持体４１とを一体に形成した電極ホルダー３２によれば、放電ユニット２５の構成部品点数が減少する。また、電極ホルダー３２をコンパクトに構成できるので、本体ケース１内における放電ユニット２５の占有スペースが小さくなり、その分だけ送風装置を小形化できる利点もある（請求項３）。
【００１６】
モーター８の周面に外嵌する保持筒２１と、保持筒２１に差し込み固定される複数個の絶縁板２２とでヒーターホルダー１８を構成し、放電電流調整ユニット２４の少なくとも一部を保持筒２１で支持するようにした送風装置によれば、モーター８から保持筒２１を経て放電電流調整ユニット２４に至る外郭線形状を滑らかでほぼ均一なものとすることができ、従って、ファン７から送給された加圧空気を安定した状態で流動案内して送風効率の向上を図れ、ヒーター９との熱交換作用も安定化して、温度むらのない温風を供給できる。比較的重量が大きな放電電流調整ユニット２４はモーター８と同心状に配置するので、使用時の重量バランスがよく、使用姿勢の如何にかかわらず使い勝手のよい送風装置が得られる（請求項４）。
【００１７】
絶縁板２２と電極ホルダー３２との間に係合構造を設けて、ヒーターホルダー１８に装着した放電電流調整ユニット２４および放電ユニット２５が分離不能に固定されていると、放電ユニット２５を本体ケース１に固定するための構造を別に設ける必要がなく、その分だけ送風装置の構造を簡素化できる。また、絶縁板２２の内縁を両ユニット２４・２５で支えて、本体ケース１内における絶縁板２２の保形と位置決めとを同時に行うことができる（請求項５）。
【００１８】
吹出グリル１３と、グリップ３に設けたアース片５１とが導電路５２を介して通電可能に接続された送風装置によれば、吹出グリル１３に帯電したマイナス電荷を使用者の身体を介してグランドアースし、吹出グリル１３を非帯電状態に維持できるので、イオン発生装置から送給のマイナスイオンと、吹出グリル１３に帯電のマイナス電荷とが反発しあってマイナスイオンの放出量が減少するのを解消できる。従って、従来のこの種の送風装置に比べて効果的にマイナスイオンを送給できる（請求項６）。
【００１９】
【発明の実施の形態】
図１ないし図８は本発明に係る送風装置をヘアードライヤーに適用した実施例を示す。図２においてヘアードライヤーは、横長筒状の本体ケース１と、その前端に着脱可能に装着されるノズル２と、本体ケース１の下面後ろ側に設けたグリップ３とを有する。
【００２０】
グリップ３の前面には、上下スライド可能なスイッチノブ４と、押しボタン型の切換ノブ５とが設けてある。スイッチノブ４を切り換え操作することにより、風量およびヒーター温度の制御と、イオン発生装置への通電状態をオン・オフできる。切換ノブ５を押し込み操作すると、ヒーターへの通電を停止して、温風送給状態から冷風送給状態に切り換えることができる。グリップ３の内部には、先のスイッチノブ４および切換ノブ５で切り換え操作されるスイッチ４ａ・５ａなどを収容してある。図２の想像線で示すように、グリップ３は軸６を中心にして本体ケース１に対して折り畳み可能に連結してある。
【００２１】
本体ケース１は、その殆どを占める円筒状の導風ケース１Ａと、導風ケース１Ａの後端開口に圧嵌装着されるファンケース１Ｂとで構成する。図２および図３において本体ケース１の内部には、軸流形のファン７と、ファン駆動用のモーター８と、ファン７で生起した空気流を過熱するヒーター９と、イオン発生装置などが収容されている。ファン７で生起される空気流は、本体ケース１の後端に設けた吸込グリル１１から導入され、本体ケース１の前端に開口した断面円形の吹出口１２から吹き出る。吹出口１２から吹き出た１次吹出風は、ノズル２で扁平に収束され、ノズル内に吸引された周辺空気とともに吹き出て２次吹出風を形成する。符号１３は吹出口１２を覆う吹出グリルである。
【００２２】
図３においてモーター８は、モーターホルダー１５で支持する。モーターホルダー１５は導風ケース１Ａに内嵌装着されて、ファンケース１Ｂで固定してある。モーターホルダー１５の前端には、ファン７で捻られた空気流を整流する６個の翼片１７が放射状に設けられている。
【００２３】
ヒーター９は、ヒーターホルダー１８の周囲に巻き付け装着されて、その外面が円筒状の絶縁カバー１９と、金属板製のヒーターカバー２０とで覆ってある。図４においてヒーターホルダー１８は、モーターホルダー１５の前端に隣接してモーター８に外嵌装着される断面円形の保持筒２１と、保持筒２１の周面に沿って放射状に係合装着される３個の絶縁板２２とで構成する。保持筒２１は断熱性と電気絶縁性に優れたプラスチック材で形成し、その筒壁の周囲６箇所に絶縁板２２を差し込むための装填溝２１ａが等間隔おきに形成されている。
【００２４】
絶縁板２２は粉状の雲母を板状に固めたうえでＨ字状に打ち抜き形成し、中央の板面に絶縁板２２を米字状に組むための連結溝２２ａを形成してある。３個の絶縁板２２は、順に保持筒２１に差し込み係合することにより、保持筒２１の周面空間を６個に均等に区分できる。絶縁板２２の後ろ側のくりぬき部分２２ｂを利用して、後述する放電電流調整ユニット２４と放電ユニット２５とが配置される。
【００２５】
保持筒２１と絶縁板２２とでヒーターホルダー１８を構成することにより、保持筒２１と絶縁カバー１９との間に扇形の６個の送風通路が区画され（図７参照）、ファン７から送給される空気流を各送風通路で流動案内して、送風通路内を通過する空気流を安定させ、ヒーター９による空気加熱をむらなく行うことができる。
【００２６】
ファン７で生起した空気流と共にマイナスイオンを毛髪に吹き付けるために、イオン発生装置を備えている。このイオン発生装置は、ヒーターホルダー１８の後部中央のくりぬき部分２２ａに隣接配置される、放電電流調整ユニット２４と放電ユニット２５とで構成する。図５において放電電流調整ユニット２４は、整流回路２６やパルス発生回路２７などで構成されるイオン発生回路、トランス２８、およびダイオード２９などを樹脂モールド内に封入して１個のユニット部品として、円柱ブロック状に形成してある。
【００２７】
放電ユニット２５は、後面が開口する容器状の電極ホルダー３２と、電極ホルダー３２に組み付けられる針状の放電電極３３と、放電電極３３の周囲を囲むリング状の対向電極（グランド電極）３４と、両電極３３・３４間を絶縁遮断する誘電筒３５などで構成する。両電極３３・３４とトランス２８とは接続リード３６・３７で接続する。
【００２８】
図６において電極ホルダー３２は、前すぼまりテーパー状のカバー４０と、カバー４０の中央に設けた電極支持体４１とを一体に形成したプラスチック成形品からなる。電極支持体４１は、カバー４０の内外に突出するボスを有し、カバー４０の前面に突出するボス４２の内外に誘電筒３５と対向電極３４とを配置し、ボス４２の中央に放電電極３３を配置する。放電電極３３と接続リード３７との接続部分は、絶縁性を有するシール材４３で封止してある。カバー４０の後開口の周面には段部４４を形成してある。
【００２９】
図３に示すように、放電電流調整ユニット２４の後部は、保持筒２１に内嵌装着したうえで、カバー４０の開口面が放電電流調整ユニット２４の前端に隣接し、あるいは接触する状態で、電極ホルダー３２をくりぬき部分２２ｂに前方から嵌め込むことにより、段部４４が絶縁板２２の係合突起４５で受け止められて（図１参照）、放電電流調整ユニット２４および放電ユニット２５の両者が、絶縁板２２に対して分離不能に固定される。つまり、段部４４と係合突起４５とからなる係合構造によって、前記両ユニット２４・２５をヒーターホルダー１８に固定してある。
【００３０】
上記の組み付け状態において、電極ホルダー３２は図７に示すように放電電流調整ユニット２４の外郭線内にあって、両電極３３・３４と誘電筒３５は吹出グリル１３と対向している（図１参照）。接続リード３６・３７の外面はカバー４０で覆われている。従って、接続リード３６・３７が空気の流れと接触して、風切り音を生じることはない。ヒーター９の放射熱をカバー４０で遮断して、接続リード３６・３７が加熱されるのを阻止できる。空気流で運ばれた塵埃がカバー４０内に侵入して堆積することもない。放電電流調整ユニット２４と放電ユニット２５との両者は、予め耐熱性の粘着テープによって接合固定した状態で組み込め、その場合には、接合部分の周囲が粘着テープで密封されるので、接続リード３６・３７が加熱されるのをさらに確実に阻止できる。また、これにより放電電流調整ユニット２４と放電ユニット２５の間に侵入する塵埃をより一層防止できることになる。
【００３１】
保持筒２１と放電電流調整ユニット２４との周面に沿って流れてきた空気流は、カバー４０の周面に沿って流動しながら放電部分の周辺に浮遊するマイナスイオンを前方へ吹き飛ばすので、マイナスイオンの滞留を防止できる。通常、電極ホルダー３２の周辺空気にマイナスイオンが滞留するとその周辺空気と放電電極３３との間の電位差が減少することでマイナスイオンの発生が抑制されるが、実施例の構造によれば、前すぼまりテーパー状（截頭円錐筒状）のカバー４０によって放電電極３３側へ積極的に空気流を流動案内して、マイナスイオンの滞留を解消できるので、マイナスイオンを効果的に生成できる。放電電極３３から対向電極３４に向けて電子を放出することで、空気中の酸素をマイナスに帯電させてマイナスイオン化でき、マイナスに帯電した酸素に微小な水分が結合したマイナスイオンは、毛髪の内部深くまで浸透できる。つまり、水分を髪に浸透させて水分率を高めることができるので、髪を乾燥しながら髪に潤いを与えることになる。
【００３２】
吸込グリル１１の内部には、ファン７による騒音を抑止するための吸気リング４６を組み込んである。吸気リング４６は、ファンケース１Ｂに係合装着されるリング状の筒基部４７と、筒基部４７の後端から前すぼまり状に突設されたベルマウス構造の導風筒４８とを一体に形成したプラスチック成形品からなり、導風筒４８の筒基部４７側の周面に沿って一群の吸気口４９を開口してある。筒基部４７の内面数箇所に設けた係合爪５０を、ファンケース１Ｂの周回段部３０に後ろ側から係合することにより、吸気リング４６をファンケース１Ｂと一体化できる。この後、吸込グリル１１の筒周壁１１ａをファンケース１Ｂに溶着することにより、吸気リング４６の全体を吸込グリル１１で覆うことができる。この組み付け状態において、導風筒４８の前開口は、モーターホルダー１５の筒壁１６の後開口内に位置しており、導風筒４８と筒壁１６との間にドーナッツ状に吸気隙間Ｅを確保してある。
【００３３】
ファン７によって吸い込まれる空気の殆どは、ベルマウス構造の導風筒４８の内壁に案内されて加速され、ファンブレードで捻られながらケース前方へと送出される。通常、ファンブレードの先端付近において、空気の流れとは逆向きに反転する渦流が生じる。渦流が発生するのは、導風筒４８の内壁に案内された加速空気流により吸気隙間Ｅの前方周辺部分が負圧となり、ファンブレードの先端から空気が後方側に流れることが要因であるが、実施例においては、先の空気の流れ（主流路）とは別に、吸気口４９から吸気隙間Ｅまでの間に副流路を形成し、吸気口４９から吸い込まれた空気が副流路を介して、吸気隙間Ｅの前方周辺部分に流れ込むことができるようにするので、ファンブレード先端部分と吸気隙間Ｅとの間における渦流の発生を効果的に抑制できる。その結果、渦流に起因するファン騒音を抑止できる。吸気リング４６の全体を吸込グリル１１で覆って、吸気口４９を吸込グリル１１の内面空間で開口させるので、髪が吸気隙間Ｅへ吸い込まれるのをよく防止できる。もちろん、導風筒４８の内壁に形成される主流路においても髪の侵入は防止されている。吸気隙間Ｅに近い導風筒４８に吸気口４９を開口するので、吸気口４９から吸気された空気をそのまま導風筒４８の外壁に沿って抵抗なく流動させることができ、その分だけ吸気効率がよい。導風筒４８の外壁及び吸気隙間Ｅを流れる副流路の空気流は、主流路を流れる加速された空気流のベンチュリー作用によって発生するので、副流路の空気流の流速は主流路の空気流の流速よりも幾分遅い。
【００３４】
吹出グリル１３の表面にマイナスイオンが接触してマイナスに帯電すると、帯電したマイナス電荷とマイナスイオンとが反発しあってマイナスイオンの放出量が減少する。こうしたマイナス電荷の帯電に伴うイオン飽和を解消するために、吹出グリル１３に帯電したマイナス電荷を使用者の身体を介してグランドアースし、マイナスイオンの送給量を増加できるようにしている。
【００３５】
詳しくは、図２に示すように、グリップ３の外面に導電性を有するアース片５１を設け、吹出グリル１３とアース片５１とを導電路５２を介して導通し、吹出グリル１３に帯電したマイナス電荷を、アース片５１を介して人体にアースしている。人体に帯電したマイナス電荷は、床や壁などを介して逃がすことができる。吹出グリル１３は、金属板材を打ち抜き形成したプレス成形品からなり、その中央部分にリング状のイオン放出口５３を設けてある。イオン放出口５３はプラスチック成形品からなり、放電電極３３の防護枠を兼ねる。
【００３６】
アース片５１は、上下に長い木の葉形のプラスチック成形品からなり、導電性を付与するためにその表面全体にメッキ層を被覆形成してある。アース片５１と吹出グリル１３とは、図１に示すように吹出グリル１３に接触するヒーターカバー２０と、ヒーターカバー２０とアース片５１を接続するリード線５４（図３参照）を介して電気的に接続する。つまり、先の導電路５２は、ヒーターカバー２０とリード線５４とで構成する。このように、ヒーターカバー２０を利用して、吹出グリル１３をアース片５１に接続すると、導風ケース１Ａ内でリード線５４を配線する必要がなく、そのひき回し長さが短くなり、送風装置の組立の手間を省くことができる。
【００３７】
図２においてノズル２は、吹出口１２に嵌め込み装着される連結筒５７と、連結筒５７に外嵌固定されるノズル本体５８とで構成する。ノズル本体５８は、ノズル２の入口側から出口側に向かって先すぼまり状に形成してあり、その前部断面は縦長楕円状になっている。上下の湾曲壁の出口寄り周面には、周辺空気を取り入れるための空気導入口６０が開口している。連結筒５７には、前後に長い断面楕円形の内筒５９を設けてあり、その後端開口は吹出グリル１３のイオン放出口５３と対向している。
【００３８】
内筒５９およびイオン放出口５３にマイナスイオンが付着するのを抑止するために、内筒５９の内面、およびイオン放出口５３の表面全体には、撥水性の樹脂被膜を形成することができる。例えば、テフロン（登録商標）に代表されるフッ素系樹脂あるいはシリコン系樹脂をコーティングして撥水性の樹脂被膜を形成する。上記のように内筒５９を設けると、マイナスイオンを多く含む気流を内筒５９で流動案内し、さらにその外側を空気流で包み込むことができるので、ノズル２から吹き出る２次吹出風にマイナスイオンが拡散するのを防止して、髪に到達するマイナスイオン量を増加できる。
【００３９】
図９は送風装置の別実施例を示す。そこでは、本体ケース１をスタンド６５で支持して、送風装置を載置した状態で使用する点が先の実施例とは異なる。スタンド６５にはスイッチノブ６６を設けてあり、スイッチノブ６６を切り換え操作することにより、風量およびヒーター温度の制御と、イオン発生装置への通電状態をオン・オフできる。本体ケース１はスタンド６５に対して軸６７まわりに上下変位できる。他は上記の実施例と同じであるので、同じ部材に同じ符号を付してその説明を省略する。
【００４０】
上記の実施例以外に、放電電流調整ユニット２４は断面円形である必要はなく、断面形状は四角形や六角形など多角形状に形成してもよい。その場合には、電極ホルダー３２のカバー４０の形状を同様に多角形状に形成して、両者の外郭線を一致させるか、カバー４０の外郭線が放電電流調整ユニット２４の外郭線内に収まるようにするとよい。電極ホルダー３２のカバー４０と電極支持体４１とは、別部品として形成することができる。カバー４０は必ずしも先すぼまり形状である必要はなく、椀形や円筒形などに変形してもよい。
【００４１】
電極ホルダー３２は、吹出グリル１３や、本体ケース１に装着した保持枠で固定することができる。必要があれば、電極ホルダー３２を放電電流調整ユニット２４に係合装着して一体化し、放電電流調整ユニット２４をヒーターホルダー１８に固定する形態を採ることができる。
【図面の簡単な説明】
【図１】イオン発生装置の放電ユニットを示す縦断側面図である。
【図２】ヘアードライヤーの縦断側面図である。
【図３】本体ケースの縦断側面図である。
【図４】ヒーターホルダーの分解斜視図である。
【図５】イオン発生装置の概略構成を示す説明図である。
【図６】放電ユニットの分解斜視図である。
【図７】図３におけるＡ−Ａ線断面図である。
【図８】吸気リングの詳細構造を示す断面図である。
【図９】送風装置の別実施例を示す概略断面図である。
【符号の説明】
１  本体ケース
３  グリップ
７  ファン
８  モーター
９  ヒーター
１３  吹出グリル
１８  ヒーターホルダー
２１  保持筒
２２  絶縁板
２４  放電電流調整ユニット
２５  放電ユニット
３２  電極ホルダー
３３  放電電極
３４  対向電極
３６・３７  接続リード
４０  カバー
４１  電極支持体
５１  アース片
５２  導電路
５３  イオン放出口
【図１】
2005013649.tif 000003
【図２】
2005013649.tif 000004
【図３】
2005013649.tif 000005
【図４】
2005013649.tif 000006
【図５】
2005013649.tif 000007
【図６】
2005013649.tif 000008
【図７】
2005013649.tif 000009
【図８】
2005013649.tif 000010
【図９】
2005013649.tif 000011